(57)【要約】【課題】発光液の動きと発光の色合いの変化とが単純化するのを防止することで、より演出効果の高い発光装置を提供する。【解決手段】発光装置１０は、最上段に位置する第１演出用容器２１から最下段に位置する第３演出用容器２３まで溢れた所定色の発光液が流れ落ちる演出部２０と、第３演出用容器２３の発光液を第１演出用容器２１へ戻すために、第１接続管３２、第２接続管３５および戻り管３６が設けられた配管とにより形成された循環経路と、第３演出用容器２３からの発光液を配管へ液送するポンプ３４と、循環経路に他の色に発光する発光液を投入する投入部３３とを備えている。投入部３３は、他の色に発光する発光液となる発光原液および発光反応液をそれぞれ貯留する上部が開口した第１ボトルＢ１と第２ボトルＢ２と、これらの液を混合させる混合用容器３１と、２つのボトルの上下反転させる投入制御部およびモータ３２２とを備えたものである。【選択図】図５
2010033771.tif 000002
【特許請求の範囲】
【請求項１】
最上段の演出用容器から最下段の演出用容器まで溢れた所定色の発光液が流れ落ちる演出部と、前記最下段の演出用容器の発光液を最上段の演出用容器へ戻すための配管とにより形成された循環経路と、
前記最下段の演出用容器からの発光液を前記配管へ液送するポンプと、
前記循環経路に他の色に発光する発光液を投入する投入部とを備えたことを特徴とする発光装置。
【請求項２】
前記投入部は、前記他の色に発光する発光液となる発光原液および発光反応液をそれぞれ貯留する２つの貯留用容器と、
前記最下段の演出用容器と前記配管との間に配置された混合用容器と、
前記貯留用容器を回転させて、貯留された発光液を前記混合用容器に吐出させる反転部とを備えた請求項１記載の発光装置。
【請求項３】
前記貯留用容器に貯留された発光液を前記混合用容器へ吐出させる指示の信号により前記反転部に回転を指示する制御部を備えた請求項２記載の発光装置。
【請求項４】
前記演出用容器には、上段に位置する演出用容器から流れ落ちる発光液が飛散することを防止する充填物が周壁面上部まで積み重なるように収納され、
前記演出用容器の周壁縁部には、１以上の切欠部が設けられ、
前記切欠部は、前記演出用容器内に収納される飛散防止用の充填物が、流れ落ちる発光液により流出しないように、前記充填物の大きさより幅が狭く形成されている請求項１から３のいずれかの項に記載の発光装置。
【発明の詳細な説明】
【技術分野】
【０００１】
本発明は、結婚式の披露宴、パーティー、ショー、その他のセレモニーなどにおいて演出器材として使用される発光装置に関する。
【背景技術】
【０００２】
結婚式の披露宴や各種パーティーなどにおいては、幻想的な雰囲気を醸成するために、スポットライトや、キャンドル、または化学発光反応によって特有の光を発する発光装置などにより光の演出が行われている。このような光の演出を行う発光装置が、特許文献１に記載されている。
【０００３】
この特許文献１の演出用化学発光液の液送システムは、複数の発光液タンクに発光色の異なる発光原液が入れられると共に、補助液タンクに発光反応液が入れられており、発光液タンクおよび補助液タンクに保持された発光原液と発光反応液とを定容量ポンプにてウェディングケーキの中を通る配管によって、ウェディングケーキの上方に固定配置された天板部に液送されるものである。
【０００４】
天板部に液送された発光液は、天板部の円周に沿って垂直方向に配置された多数の透明なプラスチック棒を伝って流れ落ち、プラスチック棒の中間位置に設けられた液溜めを経由して、最終的には、ケーキ受け板の上に配置された発光液の受け容器に溜まるようになっている。このように、特許文献１の演出用化学発光液の液送システムは、プラスチック棒に、流れ落ちる発光液を一旦、貯めておくことのできる液溜めが設けられているので、発光液の動きが単純化するのを防いで、長時間に亘って複雑、微妙に変化する流れを演出することができるものである。
【０００５】
【特許文献１】特開２０００−１６４００１号公報
【発明の開示】
【発明が解決しようとする課題】
【０００６】
しかし、特許文献１の演出用化学発光液の液送システムでは、発光液タンクや補助液タンクから液送され混合された発光液が、プラスチック棒を伝わって流れ落ちて、受け容器に溜まっていく一方である。
【０００７】
従って、次々と液送される発光原液液と発光反応液とを切り替えることで発光色を変えることができても、発光液タンクの発光原液や補助液タンクの発光反応液がなくなると、プラスチック棒の中間位置に設けられた液溜めと、ケーキ受け板の上に配置された発光液の受け容器とに貯留された発光液が発光するだけで、流れの変化がない状態となってしまう。そうなると、単なる容器内で発光液が明るく光るだけとなってしまうので、演出効果が減退してしまう。
【０００８】
そこで本発明は、発光液の動きと発光の色合いの変化とが単純化するのを防止することで、より演出効果の高い発光装置を提供することを目的とする。
【課題を解決するための手段】
【０００９】
本発明の発光装置は、最上段の演出用容器から最下段の演出用容器まで溢れた所定色の発光液が流れ落ちる演出部と、前記最下段の演出用容器の発光液を最上段の演出用容器へ戻すための配管とにより形成された循環経路と、前記最下段の演出用容器からの発光液を前記配管へ液送するポンプと、前記循環経路に他の色に発光する発光液を投入する投入部とを備えたことを特徴とする。
本発明の発光装置は、循環経路を通して所定色に発光する発光液をポンプにより循環させることができる。投入部は循環経路に他の色に発光する発光液を投入することができる。そうすることで、最上段の演出用容器から最下段の演出用容器まで溢れた所定色の発光液が流れ落ちる演出部は、循環する発光液で変化が連続的に起きると共に、新たな色が追加されることで新たな色が行き渡る際に、徐々に色が混合して色合いの変化が起きる。従って、連続的に流れによる動きの変化に、色合いの変化が加わることで、発光液の動きが単純化することが防止できる。
【００１０】
前記投入部は、前記他の色に発光する発光液となる発光原液および発光反応液をそれぞれ貯留する２つの貯留用容器と、前記最下段の演出用容器と前記配管との間に配置された混合用容器と、前記貯留用容器を回転させて、貯留された発光液を前記混合用容器に吐出させる反転部とを備えるのが望ましい。
２つの貯留用容器に、他の色に発光する発光液となる発光原液および発光反応液をそれぞれ貯留しておく。この貯留用容器を反転部により回転させ、混合用容器に新たな色の発光液を吐出させる。そうすることで２つの貯留用容器にそれぞれ貯留された発光原液と発光反応液とが貯留用容器内で一気に撹拌された状態のように混じり合うので、全体的に偏りなく発光させることができる。従って、最もよい発光状態の発光液をポンプにより演出部の最上段の容器へ液送することができる。
【００１１】
前記貯留用容器に貯留された発光液を前記混合用容器へ吐出させる指示の信号により前記反転部に回転を指示する制御部とを備えるのが望ましい。
演出部の演出用容器から溢れて流れ落ちる発光液の状態や、流れ落ちる発光液を注視する回りの観客の状況を推し量りながら、混合用容器へ吐出させる指示の信号が送信されれば、制御部が反転部に回転を指示して循環経路に貯留用容器に貯留された発光原液と発光反応液とを、絶妙のタイミングで追加することができる。
【００１２】
前記演出用容器には、上段に位置する演出用容器から流れ落ちる発光液が飛散することを防止する充填物が周壁面上部まで積み重なるように収納され、前記演出用容器の周壁縁部には、１以上の切欠部が設けられ、前記切欠部は、前記演出用容器内に収納される飛散防止用の充填物が流れ落ちる発光液により流出しないように、前記充填物の大きさより幅が狭く形成されているのが望ましい。
循環経路を連続的に循環する発光液は、上段に位置する演出用容器から溢れ出て下段に位置する演出用容器に流れ落ちることで、光の帯のように見える幻想的な演出を醸成することができる。しかし、その際に、下段に位置する演出用容器には発光液が溜まっているので、上段に位置する演出用容器から落下した発光液が飛び散ることで周囲を汚染してしまうおそれがある。また、下段に位置する演出用容器に何も入っていないと、溢れるまで発光液を満たすには多量の発光液が必要である。演出用容器の周壁面上部まで積み重なるように充填物が収納されていることで、演出用容器を満たす発光液を少なくすることができる。また、演出用容器の周壁縁部に、１以上の切欠部が設けられていることで、切欠部が設けられている高さまで満たされた時点で発光液は切欠部から流れ出るので、更に少ない量の発光液で溢れさせることができる。そして、切欠部が設けられている高さで発光液が溢れ出ることで、周壁面上部に位置する充填物まで発光液が満ちることがない。従って、上段に位置する演出用容器から流れ落ちる発光液は、発光液から露出した充填物に当たることで、溜まった発光液まで到達せず、落下の応力が緩和されるので、溜まった発光液や流れ落ちる発光液の飛散を防止することができる。切欠部は、充填物の大きさより幅が狭く形成されているので、充填物が切欠部からこぼれ落ちたり、流出したりしてしまうことが防止できる。
【発明の効果】
【００１３】
本発明は、循環する発光液で変化が連続的に起きると共に、新たな色が追加されることで新たな色が行き渡る際に徐々に色合いの変化が起きるので、発光液の動きが単純化することが防止できる。よって、本発明の発光装置は、より高い演出効果を得ることができる。
【発明を実施するための最良の形態】
【００１４】
本発明に実施の形態に係る発光装置を図面に基づいて説明する。図１は、本発明の実施の形態に係る発光装置を示す正面図である。図２は、図１に示す発光装置の第１演出用容器を示す図であり、（Ａ）は平面図、（Ｂ）は（Ａ）のＡ−Ａ線断面図である。図３は、図１に示す発光装置の第２演出用容器を示す図であり、（Ａ）は平面図、（Ｂ）は（Ａ）のＢ−Ｂ線断面図である。図４は、第２演出用容器の周壁縁部を一部拡大した斜視図である。図５は、図１に示す発光装置の基台部内を説明するための図である。
【００１５】
図１に示すように発光装置１０は、披露宴やパーティーなどでメインテーブル上に配置され、光の演出効果を醸し出すためのもので、新郎新婦が柄杓Ｈ１，Ｈ２により発光原液と発光反応液とを注ぐことで混合させた発光液が流れる演出部２０と、演出部２０を支持する基台部３０とを備えている。
【００１６】
演出部２０は、最上段に位置する第１演出用容器２１と、中段に位置する第２演出用容器２２と、最下段に位置する第３演出用容器２３とを備えている。
【００１７】
第１演出用容器２１は、図２に示すように、透明なガラス製で漏斗状に形成されている。この第１演出用容器２１の上端の縁部には、１５°ごとに半径方向に沿って案内溝２１ａが形成されている。この角度は適宜決定することが可能であるが、案内溝２１ａの数が少なすぎたり案内溝２１ａの配置に偏りがあったりすると、発光液の溢れ方に偏りが発生するため、案内溝２１ａは第１演出用容器２１の上端の縁部に、均等に、かつある程度の数を設けるのが望ましい。
【００１８】
第１演出用容器２１には、直径が約８ｍｍ程度のガラス製の球状の充填物が上端の開口面とほぼ同じ位置まで収納されている。
【００１９】
また、第１演出用容器２１の下端には、詳細には後述する戻り管３６（図５参照）の先端部を配置するための貫通孔２１ｂが設けられている。また、この貫通孔２１ｂの開口部には、拡径部２１ｃが設けられ、第２演出用容器２２と連結するためのねじ孔２１ｄが設けられている。
【００２０】
第２演出用容器２２は、図３に示すように、透明なガラス製で、先端部に設けられた皿部２２１と、皿部２２１を支持する支柱部２２２とで構成されている。
【００２１】
皿部２２１には、溝が環状に形成されていることで発光液を溜める貯留部２２１ａが設けられている。この貯留部２２１ａには、図４に示すように、直径が約８ｍｍ程度のガラス製の球状の充填物２２３が周壁２２１ｂの上部まで積み重なるように収納されている。また、周壁２２１ｂの縁部には、この充填物２２３の大きさより幅が狭い切欠部２２１ｃが、１５°ごとに半径方向に沿って設けられている。この切欠部２２１ｃは、積み重ねられた充填物２２３の高さより低い位置（深い位置）に発光液の液面を維持するために設けられている。この切欠部２２１ｃは、１つあれば液面を積み重ねられた充填物２２３の高さより低い位置に維持することができるが、皿部２２１の周囲全体から発光液が糸状に流れ落とした方が、より美しさを向上させることができるので、本実施の形態のように、皿部２２１の周壁２２１ｂ全体にかけて切欠部２２１ｃを設けるのが望ましい。この皿部２２１の外周面には、切欠部２２１ｃの底部から下方へ向かって垂下する案内溝２２１ｄが設けられている。
【００２２】
支柱部２２２は、戻り管３６（図５参照）を挿通させるための空間２２２ａが設けられていることで円筒形状に形成されている。支柱部２２２の基端側には第３演出用容器２３から突出したねじ棒を挿通させてナットで固定するためにねじ孔２２２ｂが形成された略円盤状の鍔部２２２ｃが設けられている。
【００２３】
図１に示すように、第３演出用容器２３は、基端から先端に向かうに従って直径が徐々に大きくなる傾斜面により周壁２３ａが形成された透明なガラス製の容器である。第３演出用容器２３の底面には、基台部３０内に配置された第１接続管３２（図５参照）と連通する貫通孔（図示せず）が設けられている。第３演出用容器２３は、第２演出用容器２２から流れ落ちる発光液が一時的に溜まる他、披露宴やパーティーに設置されるときには、意匠性を向上させるために、周壁２３ａの外周面に沿ってフリルを形成したレース布Ｆが装着される。また、第３演出用容器２３内に生花や造花、ガラス製の球状体なども配置することも可能である。
【００２４】
基台部３０は、筐体がステンレス製で形成されている。基台部３０の内部には、図５に示すように、発光原液と発光反応液とを混合させるための混合用容器３１と、第３演出用容器２３の底面に設けられた貫通孔と混合用容器３１とを接続する第１接続管３２と、混合用容器３１へ発光原液と発光反応液とを投入する投入部３３と、発光液を液送するポンプ３４と、混合用容器３１およびポンプ３４を接続する第２接続管３５と、ポンプ３４から第１演出用容器２１まで第３演出用容器２３の底面中央を貫通し、第２演出用容器２２の内部の空間２２２ａを挿通して発光液を戻す戻り管３６と、無線信号を受信する無線制御部３７とが収納されている。
【００２５】
混合用容器３１は、ステンレス製で直方体状に形成され、上面が開放した容器である。
投入部３３は、発光原液が貯留された第１ボトルＢ１と発光反応液が貯留された第２ボトルＢ２とを保持する保持部３３１と、保持部３３１を回転させて反転させるモータ３３２と、モータ３３２に対して正転および逆転を指示する投入制御部３３３とを備えている。この投入制御部３３３と投入制御部３３３の指示により回転するモータ３３２とで反転部が形成されている。
【００２６】
保持部３３１は、第１ボトルＢ１および第２ボトルＢ２を担持すると共に、第１ボトルＢ１および第２ボトルＢ２の首部を固定する部材（図示せず）により第１ボトルＢ１および第２ボトルＢ２を固定した状態で保持している。保持部３３１の両端には支持軸３３１ａが設けられ、保持部３３１全体が回動自在に支持されている。
【００２７】
ポンプ３４は、投入制御部３３３からの指示に応じて液送の開始、停止を行うもので、例えばチューブポンプが使用できる。第１接続管３２，第２接続管３５，戻り管３６としては、耐腐食性が強く弾性を有するシリコンチューブが使用できる。
無線制御部３７は、図示しないリモコン装置からの無線信号をアンテナ３７ａを介して受信し、無線信号に応じた指示を投入制御部３３３に出力する機能を備えている。本実施の形態では、無線信号により指示を受信しているがリモコン装置と有線により接続されていてもよい。しかし、披露宴会場やパーティー会場に配線する手間を要する他、見栄えが悪く、リモコン装置を携帯するスタッフも移動しにくくなるので、無線信号により指示を送信する方がよい。
【００２８】
第１演出用容器２１に柄杓Ｈ１により注がれる発光原液や、第１ボトルＢ１に貯留される発光原液は、蛍光物質、シュウ酸エステル、染料などを溶媒に溶かした蛍光液を用いることができる。また、第１演出用容器２１に柄杓Ｈ２により注がれる発光反応液や、第２ボトルＢ２に貯留される発光反応液としては、過酸化水素、サリチル酸ナトリウムなどを溶媒に溶かした酸化液を用いることができる。
【００２９】
この第１演出用容器２１に注がれて混合されることで発光する発光液の色と、第１ボトルＢ１および第２ボトルＢ２からそれぞれ吐出され、混合用容器３１にて混合されることで発光する発光液の色とは、異なる色である。例えば、第１演出用容器２１側を青色とした場合には、第１ボトルＢ１および第２ボトルＢ２から追加される色を赤色とすることができる。
【００３０】
本実施の形態では、発光原液および発光反応液を貯留する貯留容器として第１ボトルＢ１，第２ボトルＢ２としているが、発光原液および発光反応液を貯留可能な容量で、かつ耐腐食性がある容器であれば金属製の容器でも他の容器でもよい。しかし、発光原液および発光反応液を入手したときの容器と異なる容器とすると、保持部３３１に保持させる際に発光原液や発光反応液を移し換える必要があるので、発光原液および発光反応液を入手する際に使用されるボトルをそのまま第１ボトルＢ１，第２ボトルＢ２とするのが望ましい。
【００３１】
以上のように構成された本発明の実施の形態に係る発光装置の動作および使用状態を図面に基づいて説明する。本実施の形態では披露宴に発光装置１０を設置する場合を例に説明する。
【００３２】
まず、披露宴の会場のメインテーブル上に発光装置１０を設置する。また、予め準備しておいた発光原液が入った第１ボトルＢ１と、発光反応液が入った第２ボトルＢ２とを、キャップを取った状態で、保持部３３１に保持させておく。そして、柄杓Ｈ１には発光原液を入れておき、柄杓Ｈ２には発光反応液を入れておく。
【００３３】
次に、スポットライトを浴びながら新郎新婦が会場へ入場してメインテーブルまで移動すると、スタッフにより発光原液と発光反応液とがそれぞれ入れられた柄杓Ｈ１，Ｈ２をがされる。新郎新婦は、メインテーブル上に設置された発光装置１０の第１演出用容器２１に、柄杓Ｈ１，Ｈ２内の発光原液および発光反応液をそれぞれ注ぐ。
【００３４】
発光原液と発光反応液とは、第１演出用容器２１に注がれることで混じり合い、第１演出用容器２１内で明るく青色に輝き始める。第１演出用容器２１には球状の充填物が収納されているので、少ない量の発光液で第１演出用容器２１全体を満たすことができる。また、第１演出用容器２１は透明なガラス製なので、出席者は混合された発光液が混じり合いながら発光する様子を、注ぎ始めから視認することができる。更に、発光液の光が球状の充填物により乱反射したり屈折したりすることで、幻想的な雰囲気を醸し出すことができる。
【００３５】
そして、注がれることで混合した発光液の総容量が、充填物が収納された第１演出用容器２１の容量を超えると、第１演出用容器２１から溢れ始め、第１演出用容器２１の上端の縁部に設けられた案内溝２１ａに導かれ、案内溝２１ａから糸が垂れるように第２演出用容器２２へ流れ落ちる。出席者は、発光液の流れを楽しむことができる。
【００３６】
第２演出用容器２２に流れ落ちる発光液は、第２演出用容器２２の貯留部２２１ａに積み重ねられた球状の充填物２２３へ落下する。
例えば、第２演出用容器２２の周壁２２１ｂの縁部に切欠部２２１ｃがなく、貯留部２２１ａに充填物２２３が入れられていない場合では、貯留部２２１ａ全てに発光液を満たすことで、発光液が第２演出用容器２２から溢れ、第３演出用容器へ流れ出る。しかし、貯留部２２１ａ全てに発光液を満たすには大量の発光液が必要である。また、貯留部２２１ａに発光液が満たされた状態では、粘性の高い発光液は表面張力によって第２演出用容器２２の開口面より相当盛り上がった状態となる。このような状態で第１演出用容器２１から発光液が流れ落ちると、落差が小さくても簡単に飛び散ってしまい周囲を汚染してしまう。
【００３７】
第２演出用容器２２の貯留部２２１ａに充填物２２３が周壁２２１ｂの開口面とほぼ同じ位置まで積み重ねられていることで、第２演出用容器２２を満たす発光液を少なくすることができる。また、第２演出用容器２２の周壁２２１ｂに、切欠部２２１ｃが設けられていることで、切欠部２２１ｃが設けられている高さまで満たされた時点で発光液は切欠部２２１ｃから溢れ出るので、更に少ない量の発光液で溢れさせることができる。
【００３８】
そして、切欠部２２１ｃが設けられている高さで発光液が溢れ出ることで、周壁２２１ｂ上部に位置する充填物２２３まで発光液が満ちることがない。従って、第１演出用容器２１から流れ落ちる発光液は、発光液から露出した充填物２２３に当たることで、貯留部２２１ａに溜まった発光液に到達せず、落下の応力が緩和されるので、溜まった発光液や流れ落ちる発光液の飛散を防止することができる。また、切欠部２２１ｃは、充填物２２３の大きさより幅が狭く形成されているので、充填物２２３が切欠部２２１ｃからこぼれ落ちたり、流出したりしてしまうことが防止できる。
【００３９】
第２演出用容器２２の満たした発光液は、周壁２２１ｂに設けられた切欠部２２１ｃから漏れ出ると共に、案内溝２２１ｄに導かれて、糸が垂れるように第３演出用容器２３へ流れ落ちる。出席者は、次々と流れる発光液の動きを楽しむことができる。
【００４０】
第３演出用容器２３に流れ落ちた発光液は、徐々に第３演出用容器２３内に溜まっていく。ここで、図示しないリモコン装置を携帯するスタッフが、発光液の追加を指示する操作を行ったとする。
【００４１】
リモコン装置からの無線信号をアンテナ３７ａを介して受信した無線制御部３７は、発光液を追加する旨の指示により、第１ボトルＢ１に貯留された発光原液と第２ボトルＢ２に貯留された発光反応液を混合用容器３１へ吐出させる指示を投入制御部３３３へ出力する。また、無線制御部３７はポンプ３４を始動させる。
【００４２】
投入制御部３３３がモータ３３２を正転させることで、保持部３３１は支持軸３３１ａを中心として１８０°回転することで、第１ボトルＢ１と第２ボトルＢ２とを上下反転させる。そうすることで、第１ボトルＢ１内の発光原液と、第２ボトルＢ２内の発光反応液とが、勢いよく混合用容器３１内に吐出して混合される。第１ボトルＢ１と第２ボトルＢ２とを上下反転させることで、一気に撹拌された状態のように混じり合うので、全体的に偏りなく発光させることができる。
【００４３】
次に、投入制御部３３３は、内部のタイマーにより所定時間を計測した後に、モータ３３２を逆転させて、反転した第１ボトルＢ１と第２ボトルＢ２とを正位置まで戻す。この所定時間は、第１ボトルＢ１と第２ボトルＢ２とからそれぞれ排出できる程度の時間とするのが望ましいが、何回かに分けて第１ボトルＢ１と第２ボトルＢ２とからの発光液を追加するように制御するときには、所定時間を短くすることも可能である。
【００４４】
発光し始めた発光液は、ポンプ３４により吸引されることにより混合用容器３１から排出される。混合用容器３１の下部からは混合された発光液の一部が徐々に排出されるが、偏りなく混じり合った発光液は最もよい発光状態で取り出すことができる。従って、最初から最後まで最もよい発光状態の発光液を混合用容器３１から戻り管３６へ液送することができる。
【００４５】
発光液は、混合用容器３１から第２接続管３５を介して戻り管３６内に押し出されて第２演出用容器２２の支柱部２２２を上昇する。
本実施の形態では、ポンプ３４としてチューブポンプを採用しているので、発光液は脈動するように液送される。発光液が戻り管３６内を脈動するように上昇することで、シリコンチューブで形成された戻り管３６がこの脈動に合わせて揺動する。従って、第２演出用容器２２内を通過する戻り管３６が揺動しながら上昇する発光液の赤色の動きにより、出席者を飽きさせることがない。
【００４６】
戻り管３６を介して第１演出用容器２１へ戻った赤色の発光液は青色の発光液と少しずつ混じり合い、最初は紫色となり、そして紫色から徐々に赤味が強くなっていく。第１演出用容器２１を観察する出席者はこの色の変化を楽しむことができる。
【００４７】
一方、第３演出用容器２３に溜まった青色の発光液は、第１接続管３２を介して混合用容器３１へ流れ、第１ボトルＢ１および第２ボトルＢ２により混合された赤色の発光液と混じるが、タイミングによっては混合用容器３１の赤色の発光液はほぼ液送された状態であれば、第３演出用容器２３からの青色の発光液はほぼ青色の状態を保持したまま、混合用容器３１に貯留される。そして、ポンプ３４により第２接続管３５を介して混合用容器３１から吸い出された青色の発光液は、戻り管３６を介して第１演出用容器２１へ戻り、赤味が強くなった紫色の発光液と混ざり、少し紫色が薄くなった発光液となる。
【００４８】
発光液が混合用容器３１から第１演出用容器２１へ戻り、途切れることなく連続的に第１演出用容器２１から溢れ出し第２演出用容器２２へ流れ落ち、そして第２演出用容器２２から溢れ出し第３演出用容器２３へと流れ落ちる。
【００４９】
このように、第１演出用容器２１から第３演出用容器２３まで発光液が流れ落ちる演出部２０と、第１接続管３２、第２接続管３５および戻り管３６が設けられた配管とで形成された循環経路を、発光液をポンプ３４が循環させることで、連続的に起きる発光液の流れの変化を楽しむことができる。また、投入部３３が循環経路に新たな色の発光液を追加することで、色合いの変化を楽しむことができる。
また、第１演出用容器２２から第２演出用容器２２へ飛び散らせることなく連続的に発光液を流れ落とすことができるので、安心して発光液の流れを楽しむことができる。
【００５０】
なお、本実施の形態では、投入部３３として、第１ボトルＢ１と第２ボトルＢ２とを上下反転させることで新たな色の発光液を混合させていたが、他の方法で混合させてもよい。例えば、図６（Ａ）に示すように、混合用容器３１に発光原液か発光反応液のいずれか一方を予め入れておき、他方の液を投入用容器３８ｘに入れておき、電磁バルブ３９ｘの開閉を投入制御部３３３ｘにより制御することで、混合用容器３１にて混合させることも可能である。また、図６（Ｂ）に示すように、投入用容器３８ｙの底の排出孔の開閉する開閉蓋３８ｚを、投入制御部３３３ｙからの指示によりソレノイド３９ｙによる上下させて混合用容器３１にて混合させることも可能である。
【００５１】
しかし、一方の液と他方の液とが混ざる度合いが少ないので、混合用容器３１における発光状態に偏りが発生するおそれがある。従って、発光原液と発光反応液とを混ぜるときには、本実施の形態に係る投入部３３のように、貯留用容器である第１ボトルＢ１と第２ボトルＢ２とを上下反転させて一度に撹拌するように混合させるのが望ましい。
【００５２】
本実施の形態では、第１演出用容器２１から第３演出用容器２３まで、溢れた発光液が流れ落ちることで次の演出用容器まで移動しているが、棒などを伝わらせたり、チューブ内を流したりすることも可能である。しかし、発光液を流れ落とした方が、観察者から発光液を直接的に観察することができると共に、発光液の動きが早いので、観察者に与えるインパクトが大きいので望ましい。
【００５３】
また、本実施の形態では、第１演出用容器２１から第３演出用容器２３まで２段階に発光液が流れ落ちるようにしているが、演出用容器を２つにして１段階としても、４つ以上にして３段階以上としてもよい。
更に、投入部３３では２液混合タイプの発光液を１種類、混合して循環経路に投入しているが、２種類以上の色の発光液を混合させるようにしてもよい。その場合には無線信号で１種類ずつ投入する発光液を選択可能とするのが望ましい。
【００５４】
更に、本実施の形態では、充填物２２３として球状体を使用しているが、多面体状でも異形状でも積み重ねることで、流れ落ちる発光液が飛散することが防止できれば他の形状でもよい。
【産業上の利用可能性】
【００５５】
本発明は、連続的に流れる発光液の変化を楽しませ、幻想的な雰囲気を醸成する演出ができるので、結婚式の披露宴、パーティー、ショーその他のセレモニーなどの演出器材として使用される発光装置に最適である。
【図面の簡単な説明】
【００５６】
【図１】本発明の実施の形態に係る発光装置の正面図である。
【図２】図１に示す発光装置の第１演出用容器を示す図であり、（Ａ）は平面図、（Ｂ）は（Ａ）のＡ−Ａ線断面図である。
【図３】図１に示す発光装置の第２演出用容器を示す図であり、（Ａ）は平面図、（Ｂ）は（Ａ）のＢ−Ｂ線断面図である。
【図４】第２演出用容器の周壁縁部を一部拡大した斜視図である。
【図５】図１に示す発光装置の基台部内を説明するための図である。
【図６】投入部の変形例を示す図であり、（Ａ）は電磁バルブを使用した例、（Ｂ））はソレノイドを使用した例を示す図である。
【符号の説明】
【００５７】
１０  発光装置
２０  演出部
２１  第１演出用容器
２１ａ  案内溝
２１ｂ  貫通孔
２１ｃ  拡径部
２１ｄ  ねじ孔
２２  第２演出用容器
２２１  皿部
２２１ａ  貯留部
２２１ｂ  周壁
２２１ｃ  切欠部
２２１ｄ  案内溝
２２２  支柱部
２２２ａ  空間
２２２ｂ  ねじ孔
２２２ｃ  鍔部
２２３  充填物
２３  第３演出用容器
２３ａ  周壁
３０  基台部
３１  混合用容器
３２  第１接続管
３３  投入部
３３１  保持部
３３１ａ  支持軸
３３２  モータ
３３３，３３３ｘ，３３３ｙ  投入制御部
３４  ポンプ
３５  第２接続管
３６  戻り管
３７  無線制御部
３７ａ  アンテナ
３８ｘ，３８ｙ  投入用容器
３８ｚ  開閉蓋
３９ｘ  電磁バルブ
Ｂ１，Ｂ２  ボトル
Ｈ１，Ｈ２  柄杓
Ｆ  フリル
【図１】
2010033771.tif 000003
【図２】
2010033771.tif 000004
【図３】
2010033771.tif 000005
【図４】
2010033771.tif 000006
【図５】
2010033771.tif 000007
【図６】
2010033771.tif 000008